(57)【要約】【課題】再生出力音声に対し、例えば家庭内、職場、学校、施設等、各種の環境に応じて適切な音声出力の禁止を可能にした映像機器および音声出力制御方法を提供する。【解決手段】禁止コード解析処理部１６は、再生出力前のアナログ音声信号の音声内容から、予め登録された音声パターン部分を抽出して、抽出した音声パターン部分のアナログ音声信号の再生を禁止する。【選択図】    図１
2006129171.tif 000002
【特許請求の範囲】
【請求項１】
映像および音声を再生する映像機器に於いて、
再生出力前のアナログ音声信号を扱う回路上に、前記再生出力前のアナログ音声信号の音声内容から、予め登録された音声パターン部分を抽出して、抽出した音声パターン部分のアナログ音声信号の再生を禁止する音声再生制御回路を設けたことを特徴とする映像機器。
【請求項２】
前記音声再生制御回路は、
再生出力を禁止する音声パターンを保持して、前記再生出力前のアナログ音声信号の音声内容を認識し、当該認識した音声内容から前記保持手段に登録された音声パターンを抽出する処理手段と、
前記処理手段で抽出した音声パターンの再生出力を禁止する音声出力制御手段と
を具備する請求項１記載の映像機器。
【請求項３】
前記処理手段は、
音声パターンを文字コード列にした禁止コードを保持する禁止コードテーブルと、
前記再生出力前のアナログ音声信号を認識し文字コード列に変換する認識処理部と、
前記認識処理部で認識した文字コード列を解析し文節単位に区分して前記禁止コードテーブルに登録された禁止コードと照合し、一致する文字コード列を検索する解析部とを具備し、
前記音声出力制御手段は、前記解析部で一致する文字コード列が検出されたとき、当該文字コード列部分に対応する前記アナログ音声信号の再生出力を禁止する請求項２記載の映像機器。
【請求項４】
前記音声出力制御手段は、前記再生出力を禁止した前記アナログ音声信号に代わって禁止音若しくは無音の信号を再生出力するための再生出力切換手段を具備する請求項３記載の映像機器。
【請求項５】
前記音声出力制御手段に、前記再生出力を禁止しない音声の再生出力に対して前記再生出力を禁止する音声の処理時間を補償する遅延回路を設け、再生出力前の映像信号を扱う回路に、再生する映像を前記音声の再生出力に同期させる遅延手段を設けた請求項４記載の映像機器。
【請求項６】
前記禁止コードテーブルは、前記照合する文字コード列の長さを文節単位で異にする複数種の文節別テーブルにより構成され、前記解析部は前記複数種の文節別テーブルを用いて複数の文節単位で前記一致する文字コード列を検索する請求項５記載の映像機器。
【請求項７】
前記禁止コードテーブルを複数組備え、前記解析部が前記複数の禁止コードテーブルから一つの禁止コードテーブルを選択して用いる請求項６記載の映像機器。
【請求項８】
映像および音声を再生する装置の音声出力制御方法であって、
再生出力前の音声信号の内容から、予め登録された音声パターン部分を抽出して、当該抽出した音声パターン部分の音声信号の再生を禁止することを特徴とする音声出力制御方法。
【発明の詳細な説明】
【技術分野】
【０００１】
本発明は、例えばテレビジョン放送等の番組情報を再生し出力する映像機器および音声出力制御方法に関する。
【背景技術】
【０００２】
特定の音声パターンを認識して機器の動作を制御する技術として、例えば登録された音声パターンを認識した時点から受信情報を記録する技術、ユーザが入力したキーワード情報に関連する番組の放送を監視する技術等が存在する。
【特許文献１】特開平９−７４２２９号公報
【特許文献２】特開２００２−３００４８５号公報
【発明の開示】
【発明が解決しようとする課題】
【０００３】
従来、ラジオ放送、テレビジョン放送等に於いて、公共放送に相応しくない音声情報については番組放送側で事前に予め決められた放送禁止コード等に従い、その音声出力を禁止していた。この放送禁止用語に従う番組提供方法は、すべて番組提供側での判断に基づくもので、例えば家庭内、職場、学校、各種施設等の各種環境に応じて音声出力を禁止する内容を変えたいという要求に応えることができない。
【０００４】
本発明は上記実情に鑑みなされたもので、再生出力音声に対し、例えば家庭内、職場、学校、施設等、各種の環境に応じて適切な音声出力の禁止を可能にした映像機器および音声出力制御方法を提供することを目的とする。
【課題を解決するための手段】
【０００５】
本発明は、映像および音声を再生する映像機器に於いて、再生出力前のアナログ音声信号を扱う回路上に、前記再生出力前のアナログ音声信号の音声内容から、予め登録された音声パターン部分を抽出して、抽出した音声パターン部分のアナログ音声信号の再生を禁止する音声再生制御回路を設けたことを特徴とする。
【０００６】
また、本発明は、映像および音声を再生する装置の音声出力制御方法であって、再生出力前の音声信号の内容から、予め登録された音声パターン部分を抽出して、当該抽出した音声パターン部分の音声信号の再生を禁止することを特徴とする。
【発明の効果】
【０００７】
再生出力音声に対し、家庭内、職場、学校、施設等、各種の環境に応じて適切な音声出力の禁止を可能にした。
【発明を実施するための最良の形態】
【０００８】
以下図面を参照して本発明の実施形態を説明する。
【０００９】
図１に本発明の実施形態に係る映像機器をテレビジョン受像機とした構成例を示している。このテレビジョン受像機は、テレビジョン（ＴＶ）チューナ１１、ＡＶ（音声／映像）デコーダ１２、映像処理回路１３、遅延回路（Ｄｅｌａｙ）１４、表示部１５、禁止コード解析処理部１６、音声増幅回路１７、および音声出力部（ＳＰ）１８を有して構成される。
【００１０】
ＴＶチューナ１１は、アンテナ（ＡＮＴ）若しくはケーブルを介してテレビジョン放送番組を受信する。ＡＶデコーダ１２はＴＶチューナ１１で受信した放送番組情報を音声信号（Ｖ）と映像信号（Ａ）に弁別する。映像処理回路１３はＡＶデコーダ１２で弁別された映像信号（Ａ）に従い表示部１５に表示する表示画面を生成する。遅延回路１４は、禁止コード解析処理部１６の処理による音声出力の遅れを補償して映像出力と音声出力を同期化させるように映像処理回路１３で生成した表示画面の表示部１５への表示出力を遅延する。禁止コード解析処理部１６は、再生出力前のアナログ音声信号の音声内容から、予め登録された音声パターン部分を抽出して、抽出した音声パターン部分のアナログ音声信号の再生を禁止する。この禁止コード解析処理部１６の構成並びに処理機能については図２および図３を参照して後述する。音声増幅回路１７は、禁止コード解析処理部１６を経由したアナログ音声信号を増幅して音声出力部１８から出力する。
【００１１】
図２に上記禁止コード解析処理部１６の構成例を示している。この禁止コード解析処理部１６は、認識処理部１６１、構文解析処理部１６２、遅延回路１６３、禁止音発生部１６４、禁止コードテーブル１６５Ａ，１６５Ｂ、および音声出力制御部１６６を有して構成される。
【００１２】
認識処理部１６１は、ＡＶデコーダ１２により弁別されてアナログ音声信号入力端（ＩＮ）に入力された再生出力前のアナログ音声信号を音声−テキスト変換して音声認識し文字コード列に変換する処理を行う。
【００１３】
構文解析処理部１６２は、上記認識処理部１６１で認識処理した文字コード列を解析し文節単位に区分する処理を行う。さらに構文解析処理部１６２は、外部より入力されたテーブル選択信号（ＴＳ）に従い禁止コードテーブル１６５Ａ，１６５Ｂのいずれかを選択し、上記文節単位に区分した文字コード列を上記選択した禁止コードテーブル（１６５Ａまたは１６５Ｂ）に登録された禁止コードと照合して、一致する文字コード列を検索し、一致する文字コード列を検出したとき、再生出力禁止信号（ＣＴ）を音声出力制御部１６６に送出する処理を行う。
【００１４】
遅延回路１６３は、再生出力を禁止しない音声の再生出力に対し、再生出力を禁止する処理に要する時間を補償するために、アナログ音声信号入力端（ＩＮ）に入力された再生出力前のアナログ音声信号を遅延する。
【００１５】
禁止音発生部１６４は、再生出力を禁止したアナログ音声信号に代わって出力される禁止音若しくは無音（ホワイトノイズ）の信号を発生する。
【００１６】
禁止コードテーブル１６５Ａ，１６５Ｂは、それぞれ構文解析処理部１６２に於いて照合する文字コード列の長さを文節単位で異にする複数の文節別テーブルにより構成される。この実施形態に於いては、各禁止コードテーブル１６５Ａ，１６５Ｂのそれぞれが、１文節テーブル（１）と、２文節テーブル（２）と、３文節テーブル（３）とを有して構成される。この禁止コードテーブル１６５Ａ，１６５Ｂのいずれかがテーブル選択信号（ＴＳ）により選択されて構文解析処理部１６２の処理に供される。
【００１７】
音声出力制御部１６６は、遅延回路１６３を経た再生出力前のアナログ音声信号と、禁止音発生部１６４で発生した禁止音信号（またはホワイトノイズ信号）とを入力し、そのいずれか一方の入力信号を上記構文解析処理部１６２から出力される再生出力禁止信号（ＣＴ）により選択してアナログ音声信号出力端（ＯＵＴ）に出力するアナログ信号の選択切換回路を具備するもので、構文解析処理部１６２から再生出力禁止信号（ＣＴ）を受けたとき、当該禁止信号に同期して禁止音発生部１６４で発生した禁止音信号をアナログ音声信号出力端（ＯＵＴ）に出力し、それ以外では常時、遅延回路１６３を経た再生出力前のアナログ音声信号をアナログ音声信号出力端（ＯＵＴ）に出力する。このアナログ音声信号出力端（ＯＵＴ）に出力されたアナログ音声信号は音声増幅回路１７で増幅され、音声出力部１８からリスナーに対して再生出力される。
【００１８】
図３に上記した禁止コード解析処理部１６の処理手順を示している。
【００１９】
ＴＶチューナ１１により受信され、ＡＶデコーダ１２により弁別されたアナログ音声信号（Ａ）は、禁止コード解析処理部１６のアナログ音声信号入力端（ＩＮ）に入力される。
【００２０】
認識処理部１６１は、ＡＶデコーダ１２により弁別された再生出力対象となるアナログ音声信号がアナログ音声信号入力端（ＩＮ）に入力されると（ステップＳ１１  Ｙｅｓ）と、当該アナログ音声信号入力端（ＩＮ）に入力された再生出力前のアナログ音声信号を音声−テキスト変換して音声認識し、文字コード列に変換して構文解析処理部１６２に送出する（ステップＳ１２，Ｓ１３）。
【００２１】
構文解析処理部１６２は、上記認識処理部１６１で認識処理した文字コード列を構文解析し、文節単位に区分する（ステップＳ１４）、さらに文節単位に区分した文字コード列を、テーブル選択信号（ＴＳ）に従い選択した禁止コードテーブル（１６５Ａまたは１６５Ｂ）に登録された禁止コードと照合して、一致する文字コード列があるか否かを調べ（ステップＳ１５）、一致する文字コード列が存在しないとき（ステップＳ１６  Ｎｏ）は、番組再生が継続していることを確認して（ステップＳ１８  Ｙｅｓ）、次のアナログ音声入力に対する上記処理を繰り返し実行する（ステップＳ１８，Ｓ１１，…）。また、一致する文字コード列があるとき（ステップＳ１６  Ｙｅｓ）は、再生出力禁止信号（ＣＴ）を音声出力制御部１６６に送出して、上記アナログ音声信号の再生出力を禁止し、これに代わって禁止音発生部１６４から発生された禁止音を再生出力する（ステップＳ１７）。この際の文節を単位とした文字コード列のチェック（禁止コードチェック）については後述する。
【００２２】
音声出力制御部１６６は、アナログ音声信号入力端（ＩＮ）に入力され遅延回路１６３を経た再生出力前のアナログ音声信号と、禁止音発生部１６４で発生した禁止音信号（またはホワイトノイズ信号）とを入力し、構文解析処理部１６２から上記再生出力禁止信号（ＣＴ）が出力されていないときは、上記アナログ音声信号をアナログ音声信号出力端（ＯＵＴ）に出力する。また構文解析処理部１６２から上記再生出力禁止信号（ＣＴ）が入力されると、上記アナログ音声信号に代わって禁止音発生部１６４で発生した禁止音信号（またはホワイトノイズ信号）をアナログ音声信号出力端（ＯＵＴ）に出力する。
【００２３】
構文解析処理部１６２は、上記したステップＳ１５に於ける文字コード列のチェック（禁止コードチェック）に於いて、テーブル選択信号（ＴＳ）に従い選択した禁止コードテーブル（１６５Ａまたは１６５Ｂ）の３つの各文節テーブル（１）〜（３）を参照して、１文節単位、２文節単位、３文節単位のコードチェックを行う。例えば１文節単位、２文節単位の双方のコードチェックで一致する文字コード列の語句があるときは、２文節単位の該当する音声出力期間に亘って上記再生出力禁止信号（ＣＴ）を音声出力制御部１６６に送出して、当該送出期間に亘り、音声出力制御部１６６から禁止音発生部１６４で発生した禁止音信号（またはホワイトノイズ信号）をアナログ音声信号出力端（ＯＵＴ）に出力させる。
【００２４】
また、上記禁止コードチェックで、一致する文字コード列の語句が１文節単位のみであるときは、その１文節の音声出力期間だけ上記再生出力禁止信号（ＣＴ）を音声出力制御部１６６に送出して、当該送出期間に亘り、音声出力制御部１６６から禁止音発生部１６４で発生した禁止音信号（またはホワイトノイズ信号）をアナログ音声信号出力端（ＯＵＴ）に出力させる。
【００２５】
また、上記禁止コードチェックで、１文節単位、２文節単位、３文節単位のすべてで文字コード列の語句が一致するときは、その３文節単位の該当する音声出力期間に亘って上記再生出力禁止信号（ＣＴ）を音声出力制御部１６６に送出して、当該送出期間に亘り、音声出力制御部１６６から禁止音発生部１６４で発生した禁止音信号（またはホワイトノイズ信号）をアナログ音声信号出力端（ＯＵＴ）に出力させる。
【００２６】
このような音声再生出力制御機能をもつことで、禁止コードテーブル１６５Ａ，１６５Ｂに再生を禁止する１乃至複数文節単位の任意の禁止コードを登録するのみで、その禁止コードに従う任意文節の音声再生を禁止制御できる。これによって、例えば家庭内、職場、学校、施設等、各種の環境に応じて、個々に適切な音声出力の禁止が可能となる。
【図面の簡単な説明】
【００２７】
【図１】本発明の実施形態に係る映像機器の構成を示すブロック図。
【図２】上記実施形態に係る禁止コード解析処理部の構成を示す機能ブロック図。
【図３】上記実施形態に係る禁止コード解析処理部の処理手順を示すフローチャート。
【符号の説明】
【００２８】
１１…ＴＶチューナ、１２…ＡＶデコーダ、１３…映像処理回路、１４…遅延回路、１５…表示部、１６…禁止コード解析処理部、１７…音声増幅回路、１８…音声出力部、１６１…認識処理部、１６２…構文解析処理部、１６３…遅延回路、１６４…禁止音発生部、１６５Ａ，１６５Ｂ…禁止コードテーブル、１６６…音声出力制御部。
【図１】
2006129171.tif 000003
【図２】
2006129171.tif 000004
【図３】
2006129171.tif 000005